(57)【要約】【課題】  リモコン装置のチャンネルキーの操作により、ＲＦコンバータ出力チャンネルに切り換えられたとき、ＲＦコンバータをＯＮにして、ＲＦコンバータによりビデオテープに記録された映像音声信号をＲＦ信号に変換して出力し、テレビ放送チャンネルに切り換えられたとき、ＲＦコンバータをＯＦＦにして、チューナにより受信されたチャンネルのテレビ放送のＲＦ信号を出力することができるようにする。【解決手段】  ＲＦコンバータ出力チャンネルに切り換えられたとき、ＲＦコンバータをＯＮにして、ＲＦコンバータによりビデオテープに記録された映像音声信号をＲＦ信号に変換して出力するＲＦコンバータ出力に切り換え、ＲＦコンバータ出力チャンネルでないテレビ放送チャンネルに切り換えられたとき、ＲＦコンバータをＯＦＦにして、チューナにより受信されたテレビ放送のＲＦ信号出力に切り換えるようにするようにする。【選択図】        図１
2005073195.tif 000002
【特許請求の範囲】
【請求項１】
チューナにより受信されたチャンネルのテレビ放送のＲＦ信号出力とＲＦコンバータによりビデオテープに記録された映像音声信号をＲＦ信号に変換して出力するＲＦコンバータ出力とが可能なビデオ装置であって、
予め設定されたチャンネルの中からテレビ放送がないチャンネルを選択して、ＲＦコンバータによりビデオテープに記録された映像音声信号をＲＦ信号に変換して出力するＲＦコンバータ出力チャンネルを選択するチャンネル選択手段と、前記チャンネル選択手段により選択されたＲＦコンバータ出力チャンネルを記憶する不揮発性メモリと、テレビ放送を受信するチャンネルと前記チャンネル選択手段により選択されたＲＦコンバータ出力チャンネルとを切り換えるチャンネル切換手段と、前記チャンネル切換手段によりチャンネルが切り換えられたとき、切り換えられたチャンネルが前記不揮発性メモリに記憶されているＲＦコンバータ出力チャンネルであるか否かを判別する判別手段と、前記判別手段が前記チャンネル切換手段により切り換えられたチャンネルが前記不揮発性メモリに記憶されているＲＦコンバータ出力チャンネルであると判別したとき、前記ＲＦコンバータをＯＮにし、前記判別手段が前記チャンネル切換手段により切り換えられたチャンネルが前記不揮発性メモリに記憶されているＲＦコンバータ出力チャンネルでないと判別したとき、前記ＲＦコンバータをＯＦＦにする制御手段と、前記判別手段が前記チャンネル切換手段により切り換えられたチャンネルが前記不揮発性メモリに記憶されているＲＦコンバータ出力チャンネルであると判別したとき、前記ＲＦコンバータによりビデオテープに記録された映像音声信号をＲＦ信号に変換して出力するＲＦコンバータ出力に切り換え、前記判別手段が前記チャンネル切換手段により切り換えられたチャンネルが前記不揮発性メモリに記憶されているＲＦコンバータ出力チャンネルでないと判別したとき、前記チューナにより受信されたテレビ放送のＲＦ信号出力に切り換える出力切換手段と、を備えたことを特徴とするビデオ装置。
【請求項２】
チューナにより受信されたチャンネルのテレビ放送のＲＦ信号出力とＲＦコンバータによりビデオテープに記録された映像音声信号をＲＦ信号に変換して出力するＲＦコンバータ出力とが可能なビデオ装置であって、
ＲＦコンバータによりビデオテープに記録された映像音声信号をＲＦ信号に変換して出力するＲＦコンバータ出力チャンネルを選択するチャンネル選択手段と、前記チャンネル選択手段により選択されたＲＦコンバータ出力チャンネルを記憶する記憶手段と、テレビ放送を受信するチャンネルと前記チャンネル選択手段により選択されたＲＦコンバータ出力チャンネルとを切り換えるチャンネル切換手段と、前記チャンネル切換手段によりチャンネルが切り換えられたとき、切り換えられたチャンネルが前記記憶手段に記憶されているＲＦコンバータ出力チャンネルであるか否かを判別する判別手段と、前記判別手段の判別結果に基づいて、前記ＲＦコンバータのＯＮ／ＯＦＦを制御する制御手段と、前記判別手段の判別結果に基づいて、チューナにより受信されたテレビ放送のＲＦ信号出力とＲＦコンバータによりビデオテープに記録された映像音声信号をＲＦ信号に変換して出力するＲＦコンバータ出力とを切り換える出力切換手段と、を備えたことを特徴とするビデオ装置。
【請求項３】
前記制御手段は、前記判別手段が前記チャンネル切換手段により切り換えられたチャンネルが前記記憶手段に記憶されているＲＦコンバータ出力チャンネルであると判別したとき、前記ＲＦコンバータをＯＮにし、前記判別手段が前記チャンネル切換手段により切り換えられたチャンネルが前記記憶手段に記憶されているＲＦコンバータ出力チャンネルでないと判別したとき、前記ＲＦコンバータをＯＦＦにする制御手段であることを特徴とする請求項２記載のビデオ装置。
【請求項４】
前記出力切換手段は、前記判別手段が前記チャンネル切換手段により切り換えられたチャンネルが前記記憶手段に記憶されているＲＦコンバータ出力チャンネルであると判別したとき、前記ＲＦコンバータによりビデオテープに記録された映像音声信号をＲＦ信号に変換して出力するＲＦコンバータ出力に切り換え、前記判別手段が前記チャンネル切換手段により切り換えられたチャンネルが前記記憶手段に記憶されているＲＦコンバータ出力チャンネルでないと判別したとき、前記チューナにより受信されたテレビ放送のＲＦ信号出力に切り換える出力切換手段であることを特徴とする請求項２記載のビデオ装置。
【請求項５】
前記チャンネル選択手段は、予め設定されたチャンネルの中からテレビ放送がないチャンネルを選択して、ＲＦコンバータ出力チャンネルを選択するチャンネル選択手段であることを特徴とする請求項２記載のビデオ装置。
【請求項６】
前記記憶手段は、不揮発性メモリであることを特徴とする請求項２記載のビデオ装置。
【発明の詳細な説明】
【技術分野】
【０００１】
本発明は、チューナにより受信されたチャンネルのテレビ放送のＲＦ（Ｒａｄｉｏ  Ｆｒｅｑｕｅｎｃｙ）信号出力とＲＦコンバータによりビデオテープに記録された映像音声信号をＲＦ信号に変換して出力するＲＦコンバータ出力とが可能なビデオ装置に係り、特に、選局されたチャンネルに応じてＲＦコンバータをＯＮ／ＯＦＦしてＲＦ信号を出力することができるビデオ装置に関する。
【背景技術】
【０００２】
一般に、チューナにより受信されたチャンネルのテレビ放送のＲＦ信号を出力することができ、ビデオテープに記録された映像音声信号をＲＦ信号に変換して出力することができるビデオ装置は、ビデオテープに記録された映像音声信号を出力する場合、ＲＦコンバータによりビデオテープに記録された映像音声信号をＲＦ信号に変換して出力するようになっている。しかし、ＲＦコンバータがＯＮになっていると、テレビ放送を受信したとき、ＲＦコンバータの出力信号がテレビ放送の映像信号に干渉して、鮮明な映像を視聴することができないという問題点があった。そのため、ユーザは、テレビ放送を視聴するとき、その都度、ＲＦコンバータをＯＦＦにしなければならないという問題点があった。
【０００３】
背景技術としては、ユーザがテレビ放送を視聴するためテレビ装置を操作するテレビ装置のリモコン装置の操作によりチャンネルの切換操作を行ったとき、ビデオ記録媒体を再生して出力するＲＦ信号出力をアンテナにより受信されたテレビ放送のＲＦ信号出力に切り換えるようにしたものがあった（例えば、特許文献１参照）。
【０００４】
また、映像表示装置と映像出力機器とを制御バスにより接続して、映像表示装置が映像表示装置のリモコン装置からの入力信号を予め規約したプロトコルに変換して映像出力機器に出力し、映像出力機器から出力されたコマンドを受けて、予め規約したプロトコルからその機器固有のコマンドに変換することにより、映像表示装置と映像出力機器とを１つのリモコン装置で操作することができるようにしたものがあった（例えば、特許文献２参照）。
【特許文献１】特開２０００−２０９４５４号公報
【特許文献２】特開２００３−３２５０８号公報
【発明の開示】
【発明が解決しようとする課題】
【０００５】
しかしながら、背景技術で述べたもののうち前者においては、ユーザがテレビ放送を視聴するためテレビ装置を操作するテレビ装置のリモコン装置の操作によりチャンネルの切換操作を行ったとき、ビデオ記録媒体を再生して出力するＲＦ信号出力をアンテナにより受信されたテレビ放送のＲＦ信号出力に切り換えることができたが、ビデオ記録媒体を再生して出力するＲＦ信号出力に切り換えるときには、ビデオ装置のリモコン装置を操作しなければならないという問題点があった。
【０００６】
また、後者においては、映像表示装置と映像出力機器とを制御バスにより接続して、映像表示装置が映像表示装置のリモコン装置からの入力信号を予め規約したプロトコルに変換して映像出力機器に出力し、映像出力機器から出力されたコマンドを受けて、予め規約したプロトコルからその機器固有のコマンドに変換することにより、映像表示装置と映像出力機器とを１つのリモコン装置で操作することができたが、映像音声信号ラインにより映像表示装置と映像出力機器とを接続し、更に制御バスラインにより映像表示装置と映像出力機器とを接続しなければならないという問題点があった。
【０００７】
本発明は、背景技術の有するこのような問題点に鑑みてなされたものであり、その目的とするところは、リモコン装置のチャンネルキーの操作により、ＲＦコンバータ出力チャンネルに切り換えられたとき、ＲＦコンバータをＯＮにして、ＲＦコンバータによりビデオテープに記録された映像音声信号をＲＦ信号に変換して出力し、テレビ放送チャンネルに切り換えられたとき、ＲＦコンバータをＯＦＦにして、チューナにより受信されたチャンネルのテレビ放送のＲＦ信号を出力することができるビデオ装置を提供しようとするものである。
【課題を解決するための手段】
【０００８】
上記目的を達成するため本発明においては、チューナにより受信されたチャンネルのテレビ放送のＲＦ信号出力とＲＦコンバータによりビデオテープに記録された映像音声信号をＲＦ信号に変換して出力するＲＦコンバータ出力とが可能なビデオ装置であって、ＲＦコンバータによりビデオテープに記録された映像音声信号をＲＦ信号に変換して出力するＲＦコンバータ出力チャンネルを選択するチャンネル選択手段と、前記チャンネル選択手段により選択されたＲＦコンバータ出力チャンネルを記憶する記憶手段と、テレビ放送を受信するチャンネルと前記チャンネル選択手段により選択されたＲＦコンバータ出力チャンネルとを切り換えるチャンネル切換手段と、前記チャンネル切換手段によりチャンネルが切り換えられたとき、切り換えられたチャンネルが前記記憶手段に記憶されているＲＦコンバータ出力チャンネルであるか否かを判別する判別手段と、前記判別手段の判別結果に基づいて、前記ＲＦコンバータのＯＮ／ＯＦＦを制御する制御手段と、前記判別手段の判別結果に基づいて、チューナにより受信されたテレビ放送のＲＦ信号出力とＲＦコンバータによりビデオテープに記録された映像音声信号をＲＦ信号に変換して出力するＲＦコンバータ出力とを切り換える出力切換手段と、を備える。
【０００９】
前記制御手段は、前記判別手段が前記チャンネル切換手段により切り換えられたチャンネルが前記記憶手段に記憶されているＲＦコンバータ出力チャンネルであると判別したとき、前記ＲＦコンバータをＯＮにし、前記判別手段が前記チャンネル切換手段により切り換えられたチャンネルが前記記憶手段に記憶されているＲＦコンバータ出力チャンネルでないと判別したとき、前記ＲＦコンバータをＯＦＦにするようにする。
【００１０】
前記出力切換手段は、前記判別手段が前記チャンネル切換手段により切り換えられたチャンネルが前記記憶手段に記憶されているＲＦコンバータ出力チャンネルであると判別したとき、前記ＲＦコンバータによりビデオテープに記録された映像音声信号をＲＦ信号に変換して出力するＲＦコンバータ出力に切り換え、前記判別手段が前記チャンネル切換手段により切り換えられたチャンネルが前記記憶手段に記憶されているＲＦコンバータ出力チャンネルでないと判別したとき、前記チューナにより受信されたテレビ放送のＲＦ信号出力に切り換えるようにする。
【００１１】
前記チャンネル選択手段は、予め設定されたチャンネルの中からテレビ放送がないチャンネルを選択して、ＲＦコンバータ出力チャンネルを選択するようにするとよい。
【００１２】
前記記憶手段は、不揮発性メモリとするとよい。
【００１３】
これらの手段により、リモコン装置のチャンネルキーの操作により、ＲＦコンバータ出力チャンネルに切り換えられたとき、ＲＦコンバータをＯＮにして、ＲＦコンバータによりビデオテープに記録された映像音声信号をＲＦ信号に変換して出力し、テレビ放送チャンネルに切り換えられたとき、ＲＦコンバータをＯＦＦにして、チューナにより受信されたチャンネルのテレビ放送のＲＦ信号を出力することができる。
【発明の効果】
【００１４】
請求項１記載の発明に係るビデオ装置によれば、予め設定されたチャンネルの中からテレビ放送がないチャンネルを選択して、ＲＦコンバータによりビデオテープに記録された映像音声信号をＲＦ信号に変換して出力するＲＦコンバータ出力チャンネルを選択して、選択されたＲＦコンバータ出力チャンネルを記憶し、チャンネルが切り換えられたとき、切り換えられたチャンネルがＲＦコンバータ出力チャンネルであるか否かを判別して、切り換えられたチャンネルがＲＦコンバータ出力チャンネルであるとき、ＲＦコンバータをＯＮにして、ＲＦコンバータによりビデオテープに記録された映像音声信号をＲＦ信号に変換して出力するＲＦコンバータ出力に切り換え、切り換えられたチャンネルがＲＦコンバータ出力チャンネルでないとき、ＲＦコンバータをＯＦＦにして、チューナにより受信されたテレビ放送のＲＦ信号出力に切り換えるようにしているので、リモコン装置のチャンネルキーの操作により、ＲＦコンバータ出力チャンネルに切り換えられたとき、ＲＦコンバータをＯＮにして、ＲＦコンバータによりビデオテープに記録された映像音声信号をＲＦ信号に変換して出力し、テレビ放送チャンネルに切り換えられたとき、ＲＦコンバータをＯＦＦにして、チューナにより受信されたチャンネルのテレビ放送のＲＦ信号を出力することができ、テレビ放送を受信したとき、ＲＦコンバータの出力信号がテレビ放送の映像信号に干渉せずに、鮮明なテレビ放送の映像を視聴することができる。
【００１５】
請求項２記載の発明に係るビデオ装置によれば、ＲＦコンバータによりビデオテープに記録された映像音声信号をＲＦ信号に変換して出力するＲＦコンバータ出力チャンネルを選択して、選択されたＲＦコンバータ出力チャンネルを記憶し、チャンネルが切り換えられたとき、切り換えられたチャンネルがＲＦコンバータ出力チャンネルであるか否かを判別して、判別結果に基づいて、ＲＦコンバータのＯＮ／ＯＦＦを制御し、チューナにより受信されたテレビ放送のＲＦ信号出力とＲＦコンバータによりビデオテープに記録された映像音声信号をＲＦ信号に変換して出力するＲＦコンバータ出力とを切り換えるようにしているので、リモコン装置のチャンネルキーの操作により、ＲＦコンバータ出力チャンネルに切り換えられたとき、ＲＦコンバータをＯＮにして、ＲＦコンバータによりビデオテープに記録された映像音声信号をＲＦ信号に変換して出力し、テレビ放送チャンネルに切り換えられたとき、ＲＦコンバータをＯＦＦにして、チューナにより受信されたチャンネルのテレビ放送のＲＦ信号を出力することができる。
【００１６】
請求項３記載の発明に係るビデオ装置によれば、切り換えられたチャンネルがＲＦコンバータ出力チャンネルである場合、ＲＦコンバータをＯＮにし、切り換えられたチャンネルがＲＦコンバータ出力チャンネルでないとき、ＲＦコンバータをＯＦＦにするようにしているので、リモコン装置のチャンネルキーの操作により、ＲＦコンバータ出力チャンネルに切り換えられたとき、ＲＦコンバータをＯＮにし、テレビ放送チャンネルに切り換えられたとき、ＲＦコンバータをＯＦＦにすることができ、テレビ放送を受信したとき、ＲＦコンバータの出力信号がテレビ放送の映像信号に干渉せずに、鮮明なテレビ放送の映像を視聴することができる。
【００１７】
請求項４記載の発明に係るビデオ装置によれば、切り換えられたチャンネルがＲＦコンバータ出力チャンネルである場合、ＲＦコンバータによりビデオテープに記録された映像音声信号をＲＦ信号に変換して出力するＲＦコンバータ出力に切り換え、切り換えられたチャンネルがＲＦコンバータ出力チャンネルでないとき、チューナにより受信されたテレビ放送のＲＦ信号出力に切り換えるようにしているので、リモコン装置のチャンネルキーの操作により、ＲＦコンバータ出力チャンネルに切り換えられたとき、ＲＦコンバータによりビデオテープに記録された映像音声信号をＲＦ信号に変換して出力し、テレビ放送チャンネルに切り換えられたとき、チューナにより受信されたチャンネルのテレビ放送のＲＦ信号を出力することができる。
【００１８】
請求項５記載の発明に係るビデオ装置によれば、予め設定されたチャンネルの中からテレビ放送がないチャンネルを選択して、ＲＦコンバータ出力チャンネルを選択するようにしているので、ユーザがＲＦコンバータの出力が可能なチャンネルの中のいずれかのチャンネルを容易に選択することができる。
【００１９】
請求項６記載の発明に係るビデオ装置によれば、選択されたＲＦコンバータ出力チャンネルを不揮発性メモリに記憶するようにしているので、ビデオ装置の電源がＯＦＦにされても、記憶内容をそのまま維持することができる。
【発明を実施するための最良の形態】
【００２０】
以下、適宜図面を参照しながら本発明を実施するための最良の形態を詳述する。図１は本発明の一実施例のビデオ装置の構成を示すブロック図であり、図２は本発明の一実施例のビデオ装置のリモコン装置を示す説明図であり、図３は本発明の一実施例のビデオ装置のＲＦコンバータ出力チャンネルの設定画面の表示例を示す説明図であり、図４は本発明の一実施例のビデオ装置の動作を示すフローチャートである。
【００２１】
まず、図１の本発明の一実施例のビデオ装置の構成を示すブロック図を基に説明する。
【００２２】
ビデオ装置１０は、アンテナ２０により受信されたテレビ放送電波から選択されたチャンネルのテレビ放送を受信するチューナ１１と、チューナ１１により受信されたテレビ放送の映像音声信号を検波して増幅する検波増幅回路１２と、ビデオテープに映像音声信号を記録再生する記録再生部１３と、ビデオテープに記録された映像音声信号をＲＦ信号に変換して出力するＲＦコンバータ１４と、チューナ１１により受信されたチャンネルのテレビ放送のＲＦ信号出力とＲＦコンバータ１４によりビデオテープに記録された映像音声信号をＲＦ信号に変換して出力するＲＦコンバータ出力とを切り換える出力切換スイッチ１５と、映像信号に文字情報信号を重畳して、ビデオ装置１０に接続されたテレビ装置４０の画面に文字情報を表示するＯＳＤ（Ｏｎ−Ｓｃｒｅｅｎ  Ｃｈａｒａｃｔｅｒ  Ｄｉｓｐｌａｙ）回路１６と、ビデオ装置１０のシステム全体を制御するマイコン１７と、ＲＦコンバータ出力チャンネルを記憶する不揮発性メモリであるＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ‐Ｏｎｌｙ  Ｍｅｍｏｒｙ）１８と、リモコン装置３０から送信された赤外線信号のリモコン信号を受信して、所定の電気信号に変換するリモコン受信部１９とで構成されている。
【００２３】
また、図２の本発明の一実施例のビデオ装置のリモコン装置を示す説明図を基に説明する。
【００２４】
リモコン装置３０はテレビ装置４０を遠隔操作するリモコン装置であり、リモコン装置３０には、メニュ画面の表示を指令するメニュキー３０ａ、メニュ画面（図示せず）に表示された選択項目を選択するカーソルキー３０ｂ、カーソルキー３０ｂにより選択された項目の選択を決定する決定キー３０ｃ、テレビ放送チャンネルとＲＦコンバータ出力チャンネルとを選択するチャンネルキー３０ｄ等の複数の操作キーが設けられている。なお、ビデオ装置１０は、ビデオ装置１０を動作させ、メニュ画面に表示されたリモコン装置のメーカ設定画面（図示せず）を選択して、リモコン装置のメーカ設定画面に表示されたテレビ装置４０のメーカを選択して設定することにより、リモコン装置３０のチャンネルキー３０ｄが操作されたとき、ビデオ装置１０のチャンネルを切り換えることができるようになっている。
【００２５】
以上のように構成されたビデオ装置について、以下その動作について説明する。
【００２６】
リモコン装置３０の操作キーが操作されると、操作された操作キーのリモコン信号がリモコン装置３０から赤外線信号のリモコン信号として送信され、リモコン受信部１９により受信され、所定の電気信号に変換されてマイコン１７に送出される。マイコン１７は、リモコン装置３０のメニュキー３０ａのリモコン信号を受信すると、文字情報信号と制御信号とをＯＳＤ回路１６に送出して、テレビ装置４０の画面にメニュ画面（図示せず）を表示する。ユーザが、リモコン装置３０のカーソルキー３０ｂと決定キー３０ｃとを操作して、テレビ装置４０の画面に表示されたメニュ画面のＲＦコンバータ出力チャンネルの設定を選択すると、マイコン１７は、文字情報信号と制御信号とをＯＳＤ回路１６に送出して、テレビ装置４０の画面４０ａにＲＦコンバータ出力チャンネルの設定画面を表示し、ＲＦコンバータ１４に予め設定されているチャンネルを表示する（図３参照）。リモコン装置３０のカーソルキー３０ｂと決定キー３０ｃとの操作により、ＲＦコンバータ出力チャンネルの設定画面に表示されたチャンネルのいずれかが選択されると、マイコン１７は、選択されたチャンネルをＲＦコンバータ出力チャンネルとしてＥＥＰＲＯＭ１８に記憶する。
【００２７】
リモコン装置３０のチャンネルキー３０ｄの操作によりチャンネルが切り換えられると、マイコン１７は、ＥＥＰＲＯＭ１８に記憶されているＲＦコンバータ出力チャンネルに切り換えられたか否かを判断し、ＥＥＰＲＯＭ１８に記憶されているＲＦコンバータ出力チャンネルに切り換えられた場合、ＲＦコンバータ１４に制御信号を送出して、ＲＦコンバータ１４をＯＮし、出力切換スイッチ１５を制御して、出力切換スイッチ１５をＲＦコンバータ１４が接続されているｂ側に切り換え、記録再生部１３によりビデオテープから再生された映像音声信号をＲＦコンバータ１４によりＲＦ信号に変換してテレビ装置４０に出力する。
【００２８】
また、リモコン装置３０のチャンネルキー３０ｄの操作によりテレビ放送チャンネルに切り換えられた場合、マイコン１７は、ＲＦコンバータ１４に制御信号を送出して、ＲＦコンバータ１４をＯＦＦにし、出力切換スイッチ１５を制御して、出力切換スイッチ１５をチューナ１１が接続されているａ側に切り換え、チューナ１１により受信されたチャンネルのテレビ放送のＲＦ信号をテレビ装置４０に出力する。
【００２９】
また、図４の本発明の一実施例のビデオ装置の動作を示すフローチャートを基に説明する。
【００３０】
リモコン装置の３０のチャンネルキーが操作されると、ステップＳ１からステップＳ２に進み、メモリに記憶されているＲＦコンバータ出力チャンネルに切り換えられたか否かが判断され、メモリに記憶されているＲＦコンバータ出力チャンネルに切り換えられた場合、ステップＳ３に進み、メモリに記憶されているＲＦコンバータ出力チャンネルではなく、テレビ放送チャンネルに切り換えられた場合、ステップＳ４に進む。
【００３１】
ステップＳ３で、ＲＦコンバータがＯＮにされて、出力切換スイッチがビデオテープに記録された映像音声信号をＲＦ信号に変換して出力するＲＦコンバータ出力側に切り換えられ、ステップＳ５に進んで処理を終了する。
【００３２】
ステップＳ４で、ＲＦコンバータがＯＦＦにされて、出力切換スイッチがチューナにより受信されたテレビ放送のＲＦ信号を出力するチューナ側に切り換えられ、ステップＳ５に進んで処理を終了する。
【００３３】
以上、本発明を実施するための最良の形態について詳述したが、本発明はこれに限らず、当業者の通常の知識の範囲内でその変形や改良が可能である。例えば、テレビ装置のリモコン装置のメーカを選択して設定し、テレビ装置のリモコン装置によりテレビ装置のチャンネルとビデオ装置のチャンネルとを切り換えることを説明したが、ビデオ装置のリモコン装置のメーカを選択して設定し、ビデオ装置のリモコン装置によりビデオ装置のチャンネルとテレビ装置のチャンネルとを切り換えるようにしてもよい。
【図面の簡単な説明】
【００３４】
【図１】本発明の一実施例のビデオ装置の構成を示すブロック図である。
【図２】本発明の一実施例のビデオ装置のリモコン装置を示す説明図である。
【図３】本発明の一実施例のビデオ装置のＲＦコンバータ出力チャンネルの設定画面の表示例を示す説明図である。
【図４】本発明の一実施例のビデオ装置の動作を示すフローチャートである。
【符号の説明】
【００３５】
１０  ビデオ装置
１１  チューナ
１２  検波増幅回路
１３  記録再生部
１４  ＲＦコンバータ
１５  出力切換スイッチ
１６  ＯＳＤ回路
１７  マイコン
１８  ＥＥＰＲＯＭ
１９  リモコン受信部
２０  アンテナ
３０  リモコン装置
３０ａ  メニュキー
３０ｂ  カーソルキー
３０ｃ  決定キー
３０ｄ  チャンネルキー
４０  テレビ装置
【図１】
2005073195.tif 000003
【図２】
2005073195.tif 000004
【図３】
2005073195.tif 000005
【図４】
2005073195.tif 000006